(57)【特許請求の範囲】
【請求項１】
既存の島の開口枠に遊戯台を装着する際に、開口枠の内側と遊戯台との間に装着され、開口枠に装着した遊戯台の盤面の勾配を調整する遊戯台用取付装置であって、
開口枠の内側左右に固定する上下一対のベース金具と、該ベース金具に連結すると共に開口枠内の遊戯台を固定する固定盤と、該固定盤の勾配角度を調整する勾配調整具とを備え、ベース金具は、遊戯台の下部側面の前後方向に沿って固定される下部金具と、開口枠内の上部に固定される上部金具とで構成され、
固定盤は、下部金具上に設置され、遊戯台の後面側で下部金具に上下揺動自在に連結されると共に、遊戯台の左右側縁部を挟着固定する固定ユニットを備え、
勾配調整具は、上部金具に固定されると共に、前後スライド自在に設けられたスライド機構と、該スライド機構と共に前後に移動し、固定盤の前面側で固定盤上部を上下揺動自在に支持する揺動体とで構成され、
スライド機構の前後位置調整によって遊戯台の盤面の勾配が上下に調整されるように構成したことを特徴とする遊戯台用取付装置。
【請求項２】
前記勾配調整具における前記スライド機構は、前記上部金具に固定される固定基板と、該固定基板に前後スライド自在に装着されたスライド体と、該スライド体と平行に固定基板にネジ止めされ、スライド体のスライド位置を前後に調整する調整ボルトとで構成され、該スライド体に前記揺動体を連結し、該スライド体のスライド位置調整により、前記揺動体を介して前記固定盤の勾配が調整されるように構成した請求項１記載の遊技台用取付装置。
【請求項３】
前記固定盤における前記固定ユニットは、前記遊戯台の前面側から後面側へ延長された固定ボルトと、該固定ボルトの回転に伴って遊戯台の前面側に係止して遊戯台を押圧付勢する圧着片と、前記固定盤の盤面に突設され、前記遊戯台後面側に係止する係止片とで構成され、固定ボルトの回転により前記固定盤に前記遊戯台が固定されるように構成した請求項１記載の遊戯台用取付装置。
【請求項４】
前記スライド機構の前記調整ボルトの頭部前面、又は前記固定ユニットの前記固定ボルトの頭部前面のいずれか一方、又は両方に、これら調整ボルト又は固定ボルトの頭部を被覆して回転操作を阻止するシャッター機構を装着した請求項２又は３記載の遊技台用取付装置。
【発明の詳細な説明】
【技術分野】
【０００１】
本発明は、パチンコ台等の遊戯台を既存の島に装着する遊戯台用取付装置に係り、特に、島に装着している遊戯台の勾配調整及び遊戯台の交換作業に好適な遊戯台用取付装置に関する。
【背景技術】
【０００２】
当発明者は、パチンコ台の装着作業や取付け後のパチンコ台の勾配の調整を容易にするパチンコ台取付装置を先に発明している（特許文献１）。この発明では、パチンコ台の装着作業及び取り外し作業が極めて容易になり、しかも、取付後のパチンコ台の盤面の勾配を調整する際に、熟練した技術を要せずとも合理的で効果的な調整ができるようにしている。先のパチンコ台取付装置によると、島と称する台装着用の構築物の開口窓部に着脱自在に装着する特定寸法の台装着枠体を新たに構成したもので、この台装着枠体を島の開口窓部に装着し、次に、この台装着枠体の内部にパチンコ台等の遊技台を取り付け、台装着枠体の上端部に設けたクランプレバーの操作によって、遊技台と台装着枠体とが一体になるように圧着固定する装置である。
【先行技術文献】
【特許文献】
【０００３】
【特許文献１】特許第３２７５１６２号公報
【発明の概要】
【発明が解決しようとする課題】
【０００４】
特許文献１の先の発明により、パチンコ台の取り付け作業や取付け後のパチンコ台の勾配の微調整が極めて容易に行えるようになっている。ところが、先の発明は、島に設けられた開口窓部に着脱自在に装着する台装着枠体を用いてパチンコ台を取り付けるものである。そのため、先の発明が使用可能な島は、この台装着枠体を装着できる島に限定されている。すなわち、既存の島は、大工工事によって構築される木製の島が使用されているため、島の開口窓部は、個々の寸法にばらつきが生じており、パチンコ台を装着する作業も大工仕事で調整する必要がある。そのため、既存の木製の島に形成された開口窓部に特許文献１のような特定寸法の台装着枠体を装着することは困難である。そこで、先の発明は、特定寸法の台装着枠体を装着することが可能な金属製の島に装着するものであり、既存の木製の島に直接装着することはできなかった。
【０００５】
そこで、本発明は先の発明を改良すべく創出されたもので、台装着枠体を使用せず、既存の木製等の島に直接装着することが可能になり、しかも、遊戯台の勾配調整が極めて容易に行える遊戯台用取付装置の提供を目的とするものである。
【課題を解決するための手段】
【０００６】
上述の目的を達成すべく本発明における第１の手段は、既存の島Ｑの開口枠Ｒに遊戯台Ｐを装着する際に、開口枠Ｒの内側と遊戯台Ｐとの間に装着され、開口枠Ｒに装着した遊戯台Ｐの盤面の勾配を調整する遊戯台用取付装置であって、
開口枠Ｒの内側左右に固定する上下一対のベース金具１０と、該ベース金具１０に連結すると共に開口枠Ｒ内の遊戯台Ｐを固定する固定盤２０と、該固定盤２０の勾配角度を調整する勾配調整具３０とを備え、
ベース金具１０は、遊戯台Ｐの下部側面の前後方向に沿って固定される下部金具１１と、開口枠Ｒ内の上部に固定される上部金具１２とで構成され、
固定盤２０は、下部金具１１上に設置され、遊戯台Ｐの後面側で下部金具１１に上下揺動自在に連結されると共に、遊戯台Ｐの左右側縁部を挟着固定する固定ユニット６０を備え、
勾配調整具３０は、上部金具１２に固定されると共に、前後スライド自在に設けられたスライド機構４０と、該スライド機構４０と共に前後に移動し、固定盤２０の前面側で固定盤２０上部を上下揺動自在に支持する揺動体５０とで構成され、
スライド機構４０の前後位置調整によって遊戯台Ｐの盤面の勾配が上下に調整されるように構成したことにある。
【０００７】
第２の手段において、前記勾配調整具３０の前記スライド機構４０は、前記上部金具１２に固定される固定基板４１と、該固定基板４１に前後スライド自在に装着されたスライド体４３と、該スライド体４３と平行に固定基板４１にネジ止めされ、スライド体４３のスライド位置を前後に調整する調整ボルト４４とで構成され、該スライド体４３に前記揺動体５０を連結し、該スライド体４３のスライド位置調整により、前記揺動体５０を介して前記固定盤２０の勾配が調整されるように構成したものである。
【０００８】
第３の手段において、前記固定盤２０の前記固定ユニット６０は、前記遊戯台Ｐの前面側から後面側へ延長された固定ボルト６１と、該固定ボルト６１の回転に伴って遊戯台Ｐの前面側に係止して遊戯台Ｐを押圧付勢する圧着片６２と、前記固定盤２０の盤面に突設され、前記遊戯台Ｐの後面側に係止する係止片６３とで構成され、固定ボルト６１の回転により前記固定盤２０に前記遊戯台Ｐが固定されるように構成したものである。
【０００９】
第４の手段は、前記スライド機構４０の前記調整ボルト４４の頭部４４Ａ前面、又は前記固定ユニット６０の前記固定ボルト６１の頭部６１Ａ前面のいずれか一方、又は両方に、これら調整ボルト４４の頭部４４Ａ又は固定ボルト６１の頭部６１Ａを被覆して回転操作を阻止するシャッター機構７０を装着したものである。
【発明の効果】
【００１０】
請求項１に記載の構成のように、既存の島Ｑの開口枠Ｒにベース金具１０を固定し、該ベース金具１０に連結した固定盤２０と勾配調整具３０とによって、遊戯台Ｐの盤面の勾配を上下に調整できるように構成したことにより、従来の台装着枠体を使用せず、既存の木製等の島に直接装着することが可能になった。しかも、遊戯台の勾配調整が極めて容易に行えるものである。
【００１１】
請求項２の如く、勾配調整具３０において、スライド体４３に揺動体５０を連結し、該スライド体４３のスライド位置調整により、揺動体５０を介して固定盤２０の勾配を調整するように構成したスライド機構４０を使用することにより、スライド体４３のスライド位置を調整する調整ボルト４４の操作のみで、固定盤２０の勾配を調整することができるものである。この結果、固定盤２０に固定された遊戯台Ｐの盤面の勾配を極めて容易に調整することができる。
【００１２】
請求項３に記載の固定盤２０のように、固定ユニット６０の固定ボルト６１を回転すると固定盤２０に遊戯台Ｐが固定されるように構成したことで、開口枠Ｒ内に挿入した遊戯台Ｐを、固定ボルト６１の回転のみで極めて容易に固定することができる。したがって、既存の木製等の島Ｑの開口枠Ｒに、寸法のばらつきが生じていても、遊戯台Ｐを簡単、且つ確実に固定することができる。
【００１３】
請求項４のように、調整ボルト４４の頭部４４Ａや固定ボルト６１の頭部６１Ａを被覆して回転操作を阻止するシャッター機構７０を装着したことで、調整ボルト４４の不正な使用や、固定ボルト６１へのいたずらを防止することができる。
【図面の簡単な説明】
【００１４】
【図１】本発明の装着状態を示す正面図である。
【図２】本発明の固定盤と勾配調整具と示す分解斜視図である。
【図３】本発明の固定盤と固定ユニットを示す斜視図である。
【図４】本発明において遊戯台の勾配調整状態を示す側断面図である。
【図５】本発明のスライド機構と揺動体との連結構造を示す側断面図である。
【発明を実施するための形態】
【００１５】
本発明によると、既存の島の開口枠に直接装着することが可能になり、しかも、遊戯台の勾配調整が極めて容易に行えるなど当初の目的を達成した。
【実施例】
【００１６】
本発明は、既存の島Ｑの開口枠Ｒに遊戯台Ｐを装着する際に、開口枠Ｒの内側と遊戯台Ｐとの間に装着し、開口枠Ｒ内の遊戯台Ｐの盤面の勾配を調整する勾配調整装置である。本発明の基本構成として、ベース金具１０、固定盤２０、勾配調整具３０を備えている（図２参照）。そして、既存の島Ｑにおいて、開口枠Ｒの内側左右に上下一対のベース金具１０を固定し、このベース金具１０に固定盤２０と勾配調整具３０とを装着するものである（図１参照）。
【００１７】
ベース金具１０は、下部金具１１と上部金具１２とで構成されている（図１参照）。下部金具１１は、遊戯台Ｐの下部側面の前後方向に沿って固定される部材であり、上部金具１２は、開口枠Ｒ内の上部に固定される部材である。そして、下部金具１１に固定盤２０を連結し、上部金具１２に勾配調整具３０を固定する（図２参照）。図示の下部金具１１は、開口枠Ｒの内側下部にネジ止めする固定板１３と、遊戯台Ｐの後面側に位置する揺動片１４とを備えている。そして、これら揺動片１４と固定盤２０とを、遊戯台Ｐ側から揺動ピン１５が連結する（図１参照）。
【００１８】
一方、図示の上部金具１２は、開口枠Ｒの内側上部にネジ止めする固定板１６と、該固定板１６の後端部側から下方に屈曲延長される固定片１７とを備えている（図２参照）。そして、この固定片１７と勾配調整具３０とを、遊戯台Ｐ側からピンボルト１８が連結固定する（図３参照）。また、上部金具１２の遊戯台Ｐ側には、固定盤２０の傾斜を示す基準計１９を設けており、固定盤２０の盤面に形成した目盛２２の位置を示すように構成している（図４参照）。
【００１９】
固定盤２０は、開口枠Ｒ内の遊戯台Ｐを固定する構成部材で、下部金具１１上に設置される（図２参照）。そして、遊戯台Ｐの後面側で、固定盤２０の下端部が揺動片１４に上下揺動自在に連結されている。更に、固定盤２０の遊戯台Ｐがわ盤面に、固定ユニット６０を備え、遊戯台Ｐの左右側縁部を前後方向から挟着固定するように構成している。（図３参照）。
【００２０】
図示の固定盤２０は、ボックス形状を成し、内部に固定ユニット６０や後述するシャッター機構７０を収納している（図３参照）。また、固定盤２０の上端部に連結した揺動体５０を介して勾配調整具３０を装着するものである（図２参照）。更に、固定盤２０の前面側には、挿通口２１が形成され、この挿通口２１から電動ドライバーや手動の回転工具を挿入して内部の固定ユニット６０を操作できるように構成している（図３参照）。
【００２１】
遊戯台Ｐを挟着固定する固定ユニット６０は、固定ボルト６１、圧着片６２、係止片６３にて構成されている（図３参照）。固定ボルト６１は、遊戯台Ｐの前面側から後面側へ延長されたボルト部材で、この固定ボルト６１に沿って圧着片６２が移動するように設けている。
【００２２】
圧着片６２は、この固定ボルト６１の回転に伴って遊戯台Ｐの前面側に係止して遊戯台Ｐを押圧付勢する部材である。図示の圧着片６２は、遊戯台Ｐを締め付けるときに遊戯台Ｐ側に突出し、緩めるときに固定盤２０内に収納されるように構成している。係止片６３は、固定盤２０の盤面に突設され、遊戯台Ｐの後面側に係止する部材である。
【００２３】
図示の係止片６３には、調整ボルト６４を設けてあり、遊戯台Ｐの係止位置を任意に調整できるようにしている（図３参照）。そして、固定ボルト６１の頭部６１Ａを電動工具や
手動の回転工具で回転させることにより、圧着片６２と係止片６３との間に遊戯台Ｐが挟着され、固定盤２０に遊戯台Ｐが固定される構成である（図４参照）。
【００２４】
勾配調整具３０は、固定盤２０の勾配角度を調整する構成部材で、上部金具１２に連結されている（図２参照）。この勾配調整具３０には、更に、スライド機構４０と揺動体５０とが装着されている。そして、スライド機構４０の前後位置調整によって遊戯台Ｐの盤面の勾配が上下に調整されるように構成したものである。
【００２５】
スライド機構４０は、前後スライド自在に設けられた構成部材で、固定基板４１、スライドレール４２、スライド体４３、調整ボルト４４を備えている（図２参照）。固定基板４１は、上部金具１２にピンボルト１８で固定される部材である。また、スライド体４３は、該固定基板４１に前後スライド自在に装着されている。
【００２６】
更に、調整ボルト４４は、スライド体４３と平行に固定基板４１にネジ止めされ、スライド体４３のスライド位置を前後に調整するボルト部材である。そして、スライド体４３に揺動体５０を連結し、該スライド体４３を図示の矢印の方向へスライド調整すると、この揺動体５０を介して固定盤２０の前面が持ち上がるように構成している（図２参照）。この結果、固定盤２０に固定された遊戯台Ｐの盤面を、垂直状態から任意の勾配を付けた状態に調整することができるものである。
【００２７】
揺動体５０は、スライド体４３と共に前後に移動しながら、固定盤２０の前面側で固定盤２０上部を上下揺動自在に支持する部材である（図２参照）。図示の揺動体５０は、側面略Ｌ字形状を成し、固定盤２０にピンボルト５１で揺動自在に軸支している（図３参照）。そして、スライド機構４０のスライド体４３と揺動体５０とを連結している（図２参照）。
【００２８】
このとき、調整ボルト４４の頭部４４Ａ側に連結板５３を配置し、この連結板５３とスライド体４３とを連結ボルト５２で連結している（図５参照）。そして、連結板５３の挿通口５４にドライバーやレンチ等の工具を通し、調整ボルト４４の頭部４４Ａを回転させるものである。この際、特殊な工具でなければ頭部４４Ａに連結できない構成にすることも可能である。
【００２９】
シャッター機構７０は、調整ボルト４４や固定ボルト６１の頭部を被覆してこれらの回転操作を阻止する機構である（図３参照）。このシャッター機構７０には、貫通孔７１Ａを有するシャッター板７１と、このシャッター板７１を上下に移動せしめる揺動杆７２と、この揺動杆７２を操作せしめる操作杆７３とを備えている。
【００３０】
そして、操作杆７３を操作することで、貫通孔７１Ａの位置が上下に移動し、シャッター板７１が調整ボルト４４や固定ボルト６１の頭部を覆うものである（図３参照）。また、操作杆７３の位置を固定するために、固定盤２０の後面側に操作杆７３を挿通して段階的に位置を固定する調整口２３を設けている。
【産業上の利用可能性】
【００３１】
本発明の遊戯台Ｐは、パチンコ台の他、スロットルなど他の遊戯台Ｐにも利用することができる。また、本発明の各構成は、図示例に限定されるものではなく、本発明の要旨を変更しない範囲で自由に設計変更することが可能である。
【符号の説明】
【００３２】
Ｐ  遊戯台
Ｑ  島
Ｒ  開口枠
１０  ベース金具
１１  下部金具
１２  上部金具
１３  固定板
１４  揺動片
１５  連結片
１６  固定板
１７  固定片
１８  ピンボルト
１９  基準計
２０  固定盤
２１  挿通口
２２  目盛
２３  調整口
３０  勾配調整具
４０  スライド機構
４１  固定基板
４２  スライドレール
４３  スライド体
４４  調整ボルト
５０  揺動体
５１  ピンボルト
５２  連結ボルト
５３  連結板
５４  挿通口
６０  固定ユニット
６１  固定ボルト
６２  圧着片
６３  係止片
６４  調整ボルト
７０  シャッター機構
７１  シャッター板
７２  揺動杆
７３  操作杆
【図１】
0005321675.tif 000002
【図２】
0005321675.tif 000003
【図３】
0005321675.tif 000004
【図４】
0005321675.tif 000005
【図５】
0005321675.tif 000006